(57)【要約】【課題】加工機の制御装置において、表示部で表示する画面の種類が増えた場合であっても、表示部での表示領域を狭くする必要がないものを提供する。【解決手段】ダイカストマシン１の制御装置５であって、視覚表示装置で構成された表示部１３と、オペレータが操作情報を入力するための入力部１５とを有し、表示部１３には、所定の状態で複数のメインメニューボタン２７が表示されるように構成されており、所定の状態で表示されている各メインメニューボタンのうちの１つのメインメニューボタン２が入力部で１３選択されると、この選択されたメインメニューボタンに応じた複数のサブメニューボタン２９がポップアップして表示されるように構成されている。【選択図】図４
2014094383.tif 000002
【特許請求の範囲】
【請求項１】
ダイカストマシン、射出成形機、押出成形機、工作機械または微細転写装置で構成された加工機の制御装置であって、
視覚表示装置で構成された表示部と、
オペレータが操作情報を入力するための入力部と、
を有し、前記表示部には、所定の状態で複数のメインメニューボタンが表示されるように構成されており、前記所定の状態で表示されている各メインメニューボタンのうちの１つのメインメニューボタンが前記入力部で選択されると、この選択されたメインメニューボタンに応じた複数のサブメニューボタンがポップアップして表示されるように構成されていることを特徴とする加工機の制御装置。
【請求項２】
請求項１に記載の加工機の制御装置において、
前記表示部と前記入力部とはタッチパネルで構成されており、
前記メインメニューボタンは、前記表示部の下端部で横方向に一列にならんで表示されるように構成されており、
前記サブメニューボタンは、前記メインメニューボタンの上方で上下方向にならんで表示されるように構成されていることを特徴とする加工機の制御装置。
【請求項３】
請求項１または請求項２に記載の加工機の制御装置において、
前記メインメニューボタンは、保守用ボタン、モニター用ボタン、設定用ボタンの３つのボタンで構成されていることを特徴とする加工機の制御装置。
【請求項４】
ダイカストマシン、射出成形機、押出成形機、工作機械または微細転写装置で構成された加工機の制御方法において、
視覚表示装置で構成された表示部に、所定の状態で複数のメインメニューボタンを表示する第１の表示段階と、
前記第１の表示段階で各メインメニューボタンを表示しているときに、前記各メインメニューボタンのうちの１つのメインメニューボタンが入力部を介して選択されると、この選択されたメインメニューボタンに応じた複数のサブメニューボタンをポップアップして表示する第２の表示段階と、
を有することを特徴とする加工機の制御方法。
【発明の詳細な説明】
【技術分野】
【０００１】
本発明は、加工機の制御装置および加工機の制御方法係り、たとえば、タッチパネルを用いて情報の表示と入力とを行うものに関する。
【背景技術】
【０００２】
従来のダイカストマシンは、この操作盤に設けられているＬＣＤの画面（タッチパネルの表示部）３０１の表示内容を切り換えるためのボタン（画面切り換えボタン）３０３（３０５，３０７）を、画面３０１に複数表示している。
【０００３】
各ボタン３０３（３０５，３０７）は、図１２や図１３で示すように、画面３０１の下部に常時２段で配置され表示されている。最下段で横方向にならんでいる１０個のボタン３０５は、メインボタンであり、メインボタン３０５の上で左右方向にならんでいるボタン３０７はサブボタンである。
【０００４】
サブボタン３０７は、図１２で示すように最多で５個表示できるようになっている。そして、メインボタン３０５の１つとサブボタン３０７の１つとを組み合わせて押すことで、５０種類の画面を割り当てることができる（５０種類の画面を切り換えて表示することがきる）ようになっている。
【０００５】
なお、上述した従来の技術に関連する文献として、たとえば、特許文献１、特許文献２を掲げることができる。
【先行技術文献】
【特許文献】
【０００６】
【特許文献１】特開平７−２３３７１号公報
【特許文献２】２００１−３５２４９７号公報
【発明の概要】
【発明が解決しようとする課題】
【０００７】
ところで、上記従来の方式では、表示する画面３０１が５０種類を超える場合、ボタン３０５を、２段ではなく３段もしくはそれ以上の段数、画面の下方に常時表示しておく必要が生じる。
【０００８】
すなわち、画面３０１のサイズは簡単には変更することができないので、５０種類を超える画面を切り換えて表示する場合には、３段以上の態様でボタン３０５を表示する必要が生じ、表示部３０１の表示領域（ボタン３０５以外の領域）が狭くなってしまうという問題がある。
【０００９】
この問題は、ダイカストマシンだけでなく、射出成形機、押出成形機、工作機械または微細転写装置で構成された加工機においても同様に発生する問題である。
【００１０】
本発明は、上記問題点に鑑みてなされたものであり、加工機の制御装置において、表示部で表示する画面の種類が増えた場合であっても、表示部での表示領域を狭くする必要がないものを提供することを目的とする。
【課題を解決するための手段】
【００１１】
請求項１に記載の発明は、ダイカストマシン、射出成形機、押出成形機、工作機械または微細転写装置で構成された加工機の制御装置であって、視覚表示装置で構成された表示部と、オペレータが操作情報を入力するための入力部とを有し、前記表示部には、所定の状態で複数のメインメニューボタンが表示されるように構成されており、前記所定の状態で表示されている各メインメニューボタンのうちの１つのメインメニューボタンが前記入力部で選択されると、この選択されたメインメニューボタンに応じた複数のサブメニューボタンがポップアップして表示されるように構成されている加工機の制御装置である。
【００１２】
請求項２に記載の発明は、請求項１に記載の加工機の制御装置において、前記表示部と前記入力部とはタッチパネルで構成されており、前記メインメニューボタンは、前記表示部の下端部で横方向に一列にならんで表示されるように構成されており、前記サブメニューボタンは、前記メインメニューボタンの上方で上下方向にならんで表示されるように構成されている加工機の制御装置である。
【００１３】
請求項３に記載の発明は、請求項１または請求項２に記載の加工機の制御装置において、前記メインメニューボタンは、保守用ボタン、モニター用ボタン、設定用ボタンの３つのボタンで構成されている加工機の制御装置である。
【００１４】
請求項４に記載の発明は、ダイカストマシン、射出成形機、押出成形機、工作機械または微細転写装置で構成された加工機の制御方法において、視覚表示装置で構成された表示部に、所定の状態で複数のメインメニューボタンを表示する第１の表示段階と、前記第１の表示段階で各メインメニューボタンを表示しているときに、前記各メインメニューボタンのうちの１つのメインメニューボタンが入力部を介して選択されると、この選択されたメインメニューボタンに応じた複数のサブメニューボタンをポップアップして表示する第２の表示段階とを有する加工機の制御方法である。
【発明の効果】
【００１５】
本発明によれば、加工機の制御装置において、表示部で表示する画面の種類が増えた場合であっても、表示部での表示領域を狭くする必要がないものを提供することができるという効果を奏する。
【図面の簡単な説明】
【００１６】
【図１】本発明の実施形態に係るダイカストマシンの概略構成を示す図である。
【図２】本発明の実施形態に係るダイカストマシンの制御装置の概略構成を示す図である。
【図３】本発明の実施形態に係るダイカストマシンの制御装置における表示部の表示画面を示す図である。
【図４】本発明の実施形態に係るダイカストマシンの制御装置における表示部の表示画面を示す図である。
【図５】本発明の実施形態に係るダイカストマシンの制御装置における表示部の表示画面を示す図である。
【図６】本発明の実施形態に係るダイカストマシンの制御装置における表示部の表示画面を示す図である。
【図７】本発明の実施形態に係るダイカストマシンの制御装置における表示部の表示画面を示す図である。
【図８】本発明の実施形態に係るダイカストマシンの制御装置における表示部の表示画面を示す図である。
【図９】本発明の実施形態に係るダイカストマシンの制御装置における表示部の表示画面を示す図である。
【図１０】本発明の実施形態に係るダイカストマシンの制御装置における表示部の表示画面を示す図である。
【図１１】本発明の実施形態に係るダイカストマシンの制御装置における表示部の表示画面を示す図である。
【図１２】従来のダイカストマシンの制御装置における表示部の表示画面を示す図である。
【図１３】従来のダイカストマシンの制御装置における表示部の表示画面を示す図である。
【発明を実施するための形態】
【００１７】
本発明の実施形態に係るダイカストマシン１は、図１で示すように、ダイカストマシン本体３と、制御装置５とを備えて構成されている。
【００１８】
ダイカストマシン本体３には、金型７が設置されるようになっており、この設置された金型７に、ピストン９のピストンロッド１１によって溶融している金属を入れ込み、金属製の製品が成形されるようになっている。
【００１９】
ダイカストマシン１の制御装置５は、ダイカストマシン１を制御するものであり、図２で示すように、表示部１３と入力部１５とを備えて構成されている。また、制御装置５には、制御部（ＣＰＵ）１７とＲＡＭ１９とたとえばコンパクトフラッシュ（登録商標）で構成されたメモリ２１とが設けられている。そして、制御装置５は、たとえばイーサネット（登録商標）で構成されたインタフェース２３を介して、ダイカストマシン本体３のＰＬＣ等を含む制御装置２５とデータのやり取りをすることができるようになっている。
【００２０】
表示部１３と入力部１５とは、タッチパネル１６で構成されている。さらに説明すると、表示部１３は、タッチパネル１６の視覚表示装置（たとえば液晶表示装置；さらには、バックライトを備えたカラー液晶表示装置）で構成されている。また、入力部１５は、タッチパネル１６のタッチパッドで構成されている。そして、入力部１５を介して、ダイカストマシン１のオペレータが操作指令情報（ダイカストマシン１の動作態様の設定等をするための指令信号）を入力するようになっている。
【００２１】
表示部１３には、所定の状態（たとえば初期状態もしくは常態）で複数のメインメニューボタン（たとえば、画面を切り換えるための画面切り換えメインボタン）２７が表示されるように構成されている（図３等参照）。
【００２２】
そして、上記所定の状態（たとえばデフォルト状態）で表示されている各メインメニューボタンのうちの１つのメインメニューボタン２７が入力部１５で選択されると（１つのメインメニューボタン２７の箇所がオペレータの指で押圧されると）、この選択されたメインメニューボタン２７に応じた複数のサブメニューボタン（たとえば、画面を切り換えるための画面切り換えサブボタン）２９がポップアップ（プルダウンでもよい。）して表示されるように構成されている（図４、図５、図６、図７等参照）。
【００２３】
サブメニューボタン２９の表示は、それまでされていた表示内容に加えてなされるようになっている。さらには、サブメニューボタン２９の表示は、メインメニューボタン２７以外の表示内容のうちの一部の部位に被さって表示されるようになっている。
【００２４】
各メインメニューボタン２７は、表示部１３における画面３１の縁の一部で、この縁の延伸方向に沿いならんで常時表示されているとともに、縁の延伸方向における１つのメインメニューボタン２７の寸法は、縁の延伸方向に対して直交する方向の寸法よりも大きくなっている。
【００２５】
また、常時表示されていることで、サブメニューボタン２９が表示されたときでも、メインメニューボタン２７は、サブメニューボタン２９で隠されることなく一定の位置に表示され続けている。
【００２６】
メインメニューボタン２７に応じた複数のサブメニューボタン２９とは、メインメニューボタン２７に関連する内容を示すボタンであって、メインメニューボタン２７の内容をさらに細かく分類したときの各分類を示すボタンである。
【００２７】
サブメニューボタン２９は、常時表示されているものではない。たとえば、メインメニューボタン２７が選択されたときから、表示されている各サブメニューボタン２９のうちの１つのボタンが選択されたときの間のときにのみ、表示部１３に表示されるようになっている。
【００２８】
なお、サブメニューボタン２９の選択は、メインメニューボタン２７の選択と同様になされる。また、メインメニューボタン２７やサブメニューボタン２９の内側には、メインメニューボタン２７やサブメニューボタン２９の機能を示す文字が表されている。
【００２９】
さらに説明すると、各メインメニューボタン２７は、矩形状に形成された表示部１３（表示画面３１）の下端部で（下端からこの近傍の部位にかけて）横方向に一列にならんで表示されるように構成されている。
【００３０】
各サブメニューボタン２９は、メインメニューボタン２７の上方（真上もしくは斜め上）で上下方向にならび、たとえば１列で表示されるように構成されている。
【００３１】
各メインメニューボタン２７は、たとえば、保守用ボタン２７Ａ、モニター用ボタン２７Ｂ、設定用ボタン２７Ｃの３つの種類の（カテゴリーの）ボタンのみで構成されている。
【００３２】
表示部１３（表示画面３１）は、左右方向（横方向）の寸法が縦方向（上下方向）の寸法よりも大きい矩形状に形成されている。メインメニューボタン２７とサブメニューボタン２９とは、左右方向（横方向）の寸法が縦方向（上下方向）の寸法よりも大きい矩形状に形成されている。
【００３３】
各メインメニューボタン２７は、表示部１３の下端部でお互いが隣接し横方向にならんで表示されている。なお、このように配置されている各メインメニューボタン２７全体（メインメニューボタン群）では、横方向の寸法が上下方向の寸法に比べてさらに大きくなっており、左右方向に延びた帯状になっている。
【００３４】
メインメニューボタン２７を選択することで（保守用ボタン２７Ａ、モニター用ボタン２７Ｂ、設定用ボタン２７Ｃが表示されているタッチパネル１６の３箇所のうちのいずれかの箇所が押圧されることで）表示された各サブメニューボタン２９は、お互いが隣接して上下方向にならんで表示されるようになっている。また、メインメニューボタン２７を選択することで表示された各サブメニューボタン２９は、メインメニューボタン２７の上方で、メインメニューボタン２７を隠すことなく、メインメニューボタン２７に隣接して表示されている。
【００３５】
表示された各サブメニューボタン２９のうちのいずれかのサブメニューボタンが選択されることで、各メインメニューボタン２７が表示されたままサブメニューボタン２９の次に、選択されたサブメニューボタン２９に応じた内容が、画面３１に表示されるようになっている（たとえば、表示部１３の表示画面３１の表示内容が切り換わるようになっている；図９、図１０、図１１参照）。
【００３６】
なお、サブメニューボタン２９の数が多くて、上下方向に延びた１列で表示することができない場合には、サブメニューボタン２９を横方向で複数列にならべてもよい。たとえば、図８で示すように、所定の１つのメインメニューボタン２７を選択することで表示されるべきサブメニューボタン２９が３２個あり、上下方向の１列では、１６個のサブメニューボタン２９しか表示することができない場合、上下方向で１６個ならべた２つのサブメニューボタン群を、横方向で隣接させて表示し、３２個のサブメニューボタン２９を表示してもよい。
【００３７】
また、サブメニューボタン２９をさらに分類する必要があるときには、入力部１５で所定の１つのサブメニューボタン２９が選択されたときに、この選択されたサブメニューボタン２９に応じたさらなる下位概念の複数のサブメニューボタンを表示部１３がポップアップして表示するようにしてもよい。すなわち、階層的にサブメニューボタンをポップアップして適宜表示するようにしてもよい。
【００３８】
ところで、表示部１３は、図３〜図１１では示していないが、無彩色である灰色（グレー；黒色を含んでいてもよいし、含んでいなくてもよい。）の背景３３内に、この背景３３とは明度の異なる灰色の文字、図形、記号の少なくともいずれか（文字等３５）を、オペレータに伝えるための情報として表示するよう構成されている。
【００３９】
文字等３５は、背景３３よりもたとえば明るい明度（白色を含んでいてもよいし、含んでいなくてもよい。）になっている。なお、文字等３５が無彩色でなく有彩色であらわれていてもよい。
【００４０】
各メニューボタン２７，２９も、背景３３や文字等３５とは明度の異なる灰色になっている。また、各ボタン２７，２９は、上述したように矩形等の形状に形成されており、表示部１３の背景３３内に存在しており、文字等３５は、各ボタン２７，２９それぞれの内側に存在している。そして、背景３３がもっとも明度が低く（暗く）、ボタン２７，２９は、背景３３よりも明度が高く（明るく）なっており、文字等３５は、ボタン２７，２９よりも明度が高くなっている。
【００４１】
また、背景３３とボタン２７，２９との境界３７、および、ボタン２７，２９とこれに隣接している他のボタン２７，２９との境界３９の少なくとも一部（直線部分の少なくとも一部）は、ボタン２７，２９よりも明度が高くなっている。
【００４２】
さらに、ボタン２７，２９や文字等３５が、たとえば、常態（選択がなされていないとき）に灰色になっており、選択されたとき（押されたとき）に有彩色に変化するようになっていてもよい。
【００４３】
このような配色がなされていることで、表示部１３での情報の表示においてユニバーサルデザインがなされていることになる。
【００４４】
ユニバーサルデザイン（ＵＤ；Ｕｎｉｖｅｒｓａｌ  Ｄｅｓｉｇｎ）とは、文化・言語・国籍の違い、老若男女といった差異、障害・能力の如何を問わずに利用することができる施設・製品・情報の設計（デザイン）である。
【００４５】
ユニバーサルデザインによって、オペレータにダイカストマシン１の使いやすさが伝わり、ダイカストマシン１の使い方がオペレータにとって簡単でわかりやすくなり、オペレータの身体的負担が軽減され、オペレータや使用環境の違いにかかわらす、有効性が発揮され、安全性が追求され、オペレータの心理的な不安が軽減される。
【００４６】
なお、上述した明度の差（文字等３５の明度，境界３７，３９の明度＞ボタン２７，２９の明度＞背景３３の明度）は、１つの例であり、文字等３５の明度、境界３７，３９の明度、ボタン２７，２９の明度、背景３３の明度の明るさの順序を適宜変更してもよい。たとえば、背景３３の明度が最も高く、続いて、文字等３５の明度、境界３７，３９の明度、ボタン２７，２９の明度がこの順で次第に暗くなっていてもよい（背景３３の明度＞文字等３５の明度＞境界３７，３９の明度＞ボタン２７，２９の明度）。
【００４７】
また、各ボタン２７，２９それぞれの明度が、総て同じになっていてもよいし、お互いが異なっていてもよい。同様にして、背景３３の部位に応じて、境界３７，３９の部位に応じて、または、文字等３５の一文字や単語や文章に応じて、明度が異なっていてもよい。
【００４８】
さらに、サブメニューボタン２９を選択することで表示された画面３１も、背景３３が無彩色である灰色になっており、文字等３５も無彩色になっている（文字等３５は有彩色でもよい）。
【００４９】
表示部１３（表示画面３１）は、上述したように、矩形状に形成されており、左上に、ダイカストマシン１に関する優先度の高い情報を表示するボタン（たとえば、アラームの内容の説明や履歴に関する情報を表示するボタン）４１が表示されるように構成されている（図９参照）。このボタン４１は、図４に示すサブメニューボタン２９Ａと別個に設けられている。ボタン４１を押した場合には、直近のアラーム情報がのみ表示されるようになっている。一方サブメニューボタン２９Ａを押し選択した場合には、過去のアラームを含めた情報が表示されるようになっている（図９参照）。なお、ボタン４１は、メインメニューボタン２７等と同様にして押されるようになっている。
【００５０】
また、表示部１３には、ダイカストマシン１に関する文字情報（文字で表された文章）４３とともに、この文字情報４３を、たとえば簡単な絵柄で記号化して表現したもの（文字情報４３の意味をオペレータに訴える形状の記号）４５が表示されるように構成されている（図９参照）。記号４５として「×」印、「Ｖ」字状のチェックマーク、吹き出し状の記号等を掲げることができる。
【００５１】
これにより、たとえば、アラーム表示の文字に赤色等の色をつけなくても、アイコンによってオペレータがアラームを認識することができる。たとえば、「×」マーク＝（イコール）「ＮＧ」ということをオペレータが交替した場合でも共通に認識することができる。
【００５２】
次に、ダイカストマシン１の制御方法について説明する。この制御は、たとえば制御装置５を用いてなされる。
【００５３】
まず、表示部１３に、所定の状態（たとえば初期状態）で複数のメインメニューボタン２７を表示する（第１の表示段階；図３参照）。
【００５４】
続いて、第１の表示段階で各メインメニューボタン２７を表示しているときに、各メインメニューボタンのうちの１つのメインメニューボタン２７が入力部１５を介して選択されると、この選択されたメインメニューボタン２７に応じた複数のサブメニューボタン２９をポップアップして表示する（第２の表示段階；図４、図５、図６、図７等参照）。
【００５５】
例を掲げてさらに説明する。
【００５６】
表示部１３に図３で示す画面が表示されている状態で、保守用ボタン２７Ａが選択されると（押されると）、図４で示すように各サブメニューボタン２９がポップアップして表示される。
【００５７】
続いて、図４に示す状態で、各サブメニューボタン２９のうちの１つのボタンであるアラーム経歴のボタン２９Ａが選択されると（押されると）、図９で示すように、メインメニューボタン２７を表示したまま、各サブメニューボタン２９の次に、メインメニューボタン２７が表示されている下部以外の部位において、アラーム等の経歴が、記号４５とともにリストアップされて表示される。なお、アラーム等の経歴が表示されるときに、各サブメニューボタン２９が表示されたままであってもよいし、消えてしまってもよい。
【００５８】
アラームの経歴等として、ダイカストマシン１で発生したアラーム（緊急度が高い情報：「×」記号が付与されている情報）やインフォメーション（緊急度が高い情報；「Ｖ」字状のチェックマークが付与されている情報）を掲げることができる。なお、アラーム等の経歴の数が、複数のページにわたる場合には、表示部１３に表示されている「前頁」もしくは「次頁」のボタン４７を押すことで、所望するアラームを、たとえば過去に遡って見ることができるようになっている。
【００５９】
また、表示部１３に図３で示す画面が表示されている状態で、モニター用ボタン２７Ｂが選択されると（押されると）、図６で示すように各サブメニューボタン２９がポップアップして表示される。
【００６０】
続いて、図６に示す状態で、各サブメニューボタン２９のうちの１つのボタンであるトレンド表示のボタン２９Ｂが選択されると（押されると）、図１０で示すように、メインメニューボタン２７を表示したまま、各サブメニューボタン２９の次に、メインメニューボタン２７が表示されている下部以外の部位において、モニター値が表示される。
【００６１】
すなわち、ダイカストマシン１はサイクル動作をする為、各サイクル中の様々な要素のモニター値がサイクル毎に計測される。そして、計測値は「トレンド表示」によって安定性を即座に目視する事が出来る。サイクル動作は常に安定した数値を示す事が望ましく、「トレンド表示」においては、図１０の部位Ｐ１の部分のグラフが上から下へ一直線になれば安定していると判断できる。逆にばらついている場合は安定したサイクル動作が出来ていないことを意味する。
【００６２】
また、表示部１３に図３で示す画面が表示されている状態で、設定用ボタン２７Ｃが選択されると（押されると）、図５で示すように各サブメニューボタン２９がポップアップして表示される。
【００６３】
続いて、図５に示す状態で、各サブメニューボタン２９のうちの１つのボタンである金型設定のボタン２９Ｃが選択されると（押されると）、図１１で示すように、メインメニューボタン２７を表示したまま、各サブメニューボタン２９の次に、メインメニューボタン２７が表示されている下部以外の部位において、金型７の各種設定を行う画面が表示される。
【００６４】
図１１で示されている「金型厚さ」は、金型７を締め上げる時に金型７の位置を制御する為に使用する情報である。「鋳込重量」(いこみじゅうりょう)は、金型７内に鋳込む(いこむ：流し込むの意)アルミニウムの重量を設定するものである。「金型名」は、各種設定を外部メディア(コンパクトフラッシュ（登録商標）ＣＦやＵＳＢメモリ等のフラッシュメモリ)にファイルとして保存する為のファイル名を設定するものである。「材料」は、鋳込むアルミニウムは１００％の純度ではなく、色々な材料を混ぜて使用するのでるが、混ぜることによって硬いアルミニウムや、粘りのあるアルミニウムなどの特性にする事が出来る。ここでは複数あるアルミニウムの種別を設定するものである。
【００６５】
ダイカストマシン１によれば、所定の状態で表示されている各メインメニューボタン２７のうちの１つのメインメニューボタンが入力部１５で選択されると、この選択されたメインメニューボタン２７に応じた複数のサブメニューボタン２９がポップアップして表示されるように構成されているので、表示部１３での表示領域を狭くする必要がなく（表示スペースを狭めることなく）、表示部１３で表示する画面３１の種類を容易に増やすことができる。
【００６６】
また、ダイカストマシン１によれば、表示部１３と入力部１５とがタッチパネル１６で構成されており、メインメニューボタン２７が表示部１３の下端部で横方向に一列にならんで表示されるように構成されており、サブメニューボタン２９が、メインメニューボタン２７の上方で上下方向にならんで表示されるように構成されているので、表示された各サブメニューボタン２９が見やすくなっており、各サブメニューボタンのうちから所望する１つのサブメニューボタン２９を選択しやすくいなっている。
【００６７】
すなわち、選択されたメインメニューボタン２７に対応する各サブメニューボタン２９は、メインメニューボタン２７の選択によって表示が始まるように構成されており、また、表示が開始された各サブメニューボタン２９が、選択されたメインメニューボタン２７の上方に存在するように構成されている。これにより、サブメニューボタン２９を選択しようとするとき、視点をメインメニューボタン２７の上に移動するだけで、表示が始まったサブメニューボタン２９を容易に視認することができるのである。
【００６８】
また、ダイカストマシン１によれば、メインメニューボタン２７が、保守用ボタン２７Ａ、モニター用ボタン２７Ｂ、設定用ボタン２７Ｃの３つのボタンで構成されているので、希望する画面を表示しやすくなっている。
【００６９】
すなわち、ダイカストマシン１の制御等において、ダイカストマシン１に関する情報を表示するための各画面を、これらの種類に応じて分類すると、ダイカストマシン１の動作等の設置に関するもの、ダイカストマシン１の保守等に関するもの、ダイカストマシン１のモニタリングされた状態を示す３種類に分類することができる。
【００７０】
なお、これよりも、少ない数の分類や多くの種類に分類することも当然に考えられる。しかし、メインメニューボタン２７を上記３種類の分類よりも少ない数に分類したとすると、１つのメインメニューボタン２７の選択によって表示されるサブメニューボタン２９の数が多くなりすぎてしまい、オペレータが希望する１つのサブメニューボタン２９を見つけ出し難くなる。また、メインメニューボタン２７を上記３種類の分類よりも多い数に分類したとすると、オペレータが所望する１つのサブメニューボタン２９が、いずれのメインメニューボタン２７を押せば表示されるのかわかりづらくなってしまう。
【００７１】
そこで、メインメニューボタン２７を保守用ボタン２７Ａとモニター用ボタン２７Ｂと設定用ボタン２７Ｃの３つのボタンで構成して、上述した不具合が解消したのである。
【００７２】
また、ダイカストマシン１によれば、表示部１３の画面が灰色の無彩色で表示されるので、表示部１３で表示する画面が従来よりも見やすくなっている。
【００７３】
たとえば、表示部１３の画面が灰色の無彩色で構成されていることで、工場内の暗い場所でも、画面が見やすくなっている。これは、人の目の網膜上に桿体と錐体との２種類の視細胞が存在しており、桿体が暗い場所で働き明暗の判断をするからである。
【００７４】
また、表示部１３の画面が灰色の無彩色で表示されることで、色の統一感を維持することができ、健常者であっても色覚異常であっても、画面の表示内容の認識がしやすくなる。
【００７５】
また、ダイカストマシン１によれば、表示部１３の左上に優先度の高い情報を表示するボタン４１が表示されるように構成されているので、オペレータの視点の自然な動きに応じたレイアウトがなされており、表示部１３の画面が見やすくなっている。これによっても、表示部１３での情報の表示においてユニバーサルデザインがなされていることになる。
【００７６】
なお、人は、たとえば、文字等の情報が現れている矩形状の画面を見るとき、視点を左上の合わせた後次第に右下に移動させる傾向が強い。それにもかかわらず、従来の方式では、画面のレイアウトが、設計者の考え方にまかされており、オペレータの視線の自然な動きに応じたレイアウトがなされていなかったのである。
【００７７】
また、ダイカストマシン１によれば、表示部１３に、文字情報とともに、この文字情報を絵柄で記号化して表現した記号４５が表示されるように構成されているので、オペレータが表示された情報を直感的に理解することができ、文字情報だけの場合に比べて表示部１３の画面が見やすくなっている。これによっても、表示部１３での情報の表示においてユニバーサルデザインがなされていることになる。
【００７８】
これに対して、従来の方式では、文字情報をカラー化していたが（たとえば、アラーム情報を赤文字で示していたが）、これでは、色覚異常者には情報が伝わり難く、また、健常者であっても、色の統一感がなく、赤色を即アラーム情報と即認識するとは限らず、結局、表示部の画面が見にくくなっていた。
【００７９】
なお、上述したようなユニバーサルデザインと人間工学とを使用することで、使いやすく、使用環境や状況の違いにかかわらず操作しやすい画面が、オペレータに提供されるのである。
【００８０】
また、上記説明では、ダイカストマシンを例に掲げて説明したが、制御装置５でダイカストマシン以外の加工機（加工装置）を制御等するようにしてもよい。すなわち、上述した実施形態に係るものをダイカストマシン以外の加工機に適用してもよい。
【００８１】
加工機として、射出成形機、押出成形機、工作機械（旋盤、ボール盤、中ぐり盤、フライス盤、歯切り盤、研削盤等の切削加工を主におこなう工作機械）または微細転写装置等を掲げることができる。
【００８２】
なお、上述した制御装置５は、視覚表示装置で構成された表示部を有し、表示の配色を色覚不自由者にやさしい配色にし、表示や操作ボタンの配置を上記加工機に関する優先度を重視した配置にした加工機の制御装置の例である。
【００８３】
すなわち、ユニバーサルデザインと人間工学を考慮し採用した加工機の制御装置の例である。
【符号の説明】
【００８４】
１  ダイカストマシン
５  制御装置
１３  表示部
１５  入力部
１６  タッチパネル
２７  メインメニューボタン
２７Ａ  保守用ボタン
２７Ｂ  モニター用ボタン
２７Ｃ  設定用ボタン
２９  サブメニューボタン
３３  背景
３５  文字、図形、記号（文字等）
４１  画面左上のボタン
４５  記号（アイコン）
【図１】
2014094383.tif 000003
【図２】
2014094383.tif 000004
【図３】
2014094383.tif 000005
【図４】
2014094383.tif 000006
【図５】
2014094383.tif 000007
【図６】
2014094383.tif 000008
【図７】
2014094383.tif 000009
【図８】
2014094383.tif 000010
【図９】
2014094383.tif 000011
【図１０】
2014094383.tif 000012
【図１１】
2014094383.tif 000013
【図１２】
2014094383.tif 000014
【図１３】
2014094383.tif 000015